(57)【要約】【課題】空気調和機の室外ユニットのモ−タ取付台の上部取付板の下方への切り起こし爪が製品の運送時に折れ、振動、ビビリ音が発生すること。【解決手段】底板１上に戴置された熱交換器６に対向して立設し、モ−タ１１およびファン１２を具備したモ−タ取付台２の上部取付板３は、熱交換器６の上部を前後方向に挟み込む挟持部３ａと、前板１０に固定される固定部３ｂとを有することにより、前後両側で固定されて合成が強くなり、製品の運送時のガタツキ等の原因でモ−タ取付台２が傾くことがなくなり、モ−タ取付台２の傾きによるファン１２と熱交換器６の距離の不正規による本体運転時の振動、ビビリ音の発生を防止することができる。【選択図】図２
2007017041.tif 000002
【特許請求の範囲】
【請求項１】
底板上に戴置された熱交換器に対向して立設したモ−タ取付台と、前記モ−タ取付台に具備したモ−タおよびファンと、前面を構成する前板を設け、前記モ−タ取付台の上部取付板は、前記熱交換器の上部を前後方向に挟み込む挟持部と、前記前板に固定される固定部とを有することを特徴とする空気調和機。
【発明の詳細な説明】
【技術分野】
【０００１】
本発明は室外機にモ−タ取付台を有する空気調和機に関するものである。
【背景技術】
【０００２】
従来、この種の空気調和機は外箱に補強部材を取り付け、モ−タ取付台の上部取付板に設けた切り起こしを補強部材のスリット穴に挿通固定を行っている（例えば、特許文献１参照）。
【０００３】
図４は、特許文献１に記載された従来の空気調和機の室外機の斜視図、図５は、空気調和機の室外機の要部断面図を示すものである。図４、図５に示すように、底板１０１と、外胴１０２と、モ−タ取付台１１１と、補強部材１１２から構成されている。
【０００４】
底板１０１には両側から背面にかけて上端にフランジ１０２ａを形成した外胴１０２が取付けられ、フランジ１０２ａにはスリット穴１０２ｂが両側に設けられている。補強部材１１２はスリット穴１０２ｂに対応する引掛爪１１２ａを備え外胴１０２のフランジ１０２ａの両側間に懸架される。モ−タ取付台１１１は一対の支持枠１１１ａにモ−タ取付板１１１ｂを有し、上部取付板１１１ｆの下方への切り起し１１１ｈを補強部材１１２のスリット穴１１２ｂに挿通固定する構成とされている。
【特許文献１】特開平８−１７８３６１号公報（図２、３）
【発明の開示】
【発明が解決しようとする課題】
【０００５】
しかしながら、前記従来の構成では、モ−タ取付台の上部取付板の下方への切り起しを補強部材のスリット穴に挿通固定する構造になっているため、製品の運送時にモ−タ取付台の上部取付板の下方への切り起し部が折れてしまう場合があるという課題を有していた。
【０００６】
更に、モ−タ取付台と補強部材の固定方法が、スリット穴に切り起し部を挿通固定だけであるため合成が弱く、本体運転時に振動やビビリ音等の発生を有していた。
【０００７】
本発明は、前記従来の課題を解決するもので、モ−タ取付台の合成が強くなり、モ−タ取付台が傾くことによるファンと熱交換器の距離の不正規による本体運転時振動やビビリ音の発生のない空気調和機を提供することを目的とする。
【課題を解決するための手段】
【０００８】
前記従来の課題を解決するために、本発明の空気調和機は、モ−タおよびファンを具備したモ−タ取付台の上部取付板に熱交換器の上部を前後方向に挟み込む挟持部と、前板に固定される固定部とを設けたものである。
【０００９】
これによってモータ取付台は前後両側で固定されて合成が強くなり、製品の運送時のガタツキ等の原因でモ−タ取付台が傾くことがなくなり、モ−タ取付台の傾きによるファンと熱交換器の距離の不正規による本体運転時の振動、ビビリ音の発生を防止することができる。
【発明の効果】
【００１０】
本発明の空気調和機は、モ−タ取付台の傾きによるファンと熱交換器の距離の不正規による本体運転時の振動、ビビリ音の発生を防止し、ユーザにより品質精度の高い空気調和
機を提供することができる。
【発明を実施するための最良の形態】
【００１１】
第１の発明は底板上に戴置された熱交換器に対向して立設し、モ−タおよびファンを具備したモ−タ取付台の上部取付板は、熱交換器の上部を前後方向に挟み込む挟持部と、前板に固定される固定部とを有することにより、前後両側で固定されて合成が強くなり、製品の運送時のガタツキ等の原因でモ−タ取付台が傾くことがなくなり、モ−タ取付台の傾きによるファンと熱交換器の距離の不正規による本体運転時の振動、ビビリ音の発生を防止することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の正面図、図2は横断面図、図3は横断面図の要部拡大図を示すものである。
【００１４】
図１、図２、図３において、空気調和機の室外機の底板1上に圧縮機５と熱交換器６を仕切板７により区画して載置し、底板１上に熱交換器６に対向して立設したモ−タ取付台２と、背面と両側面を構成する外箱８、上面を構成する天板９および前面を構成する前板１０を載置し、モ−タ１１およびファン１２を具備するモ−タ取付台２の上部取付板３は、熱交換器６の上部を前後方向に挟み込む挟持部３ａと、前板１０に固定される固定部３ｂとを有し、上部取付板３はネジ４により、モ−タ取付台２に機械的に固定されている。
【００１５】
以上のような構成によりモ−タ取付台は、上部取付板によって前後２箇所を前板及び熱交換器に固定され、更に後部は挟持部によって熱交換器の上部を前後方向に挟み込んで固定されるので、合成が強くなり、製品の運送時のガタツキ等の原因でモ−タ取付台が傾くことがなくなり、モ−タ取付台の傾きによるファンと熱交換器の距離の不正規による本体運転時の振動、ビビリ音の発生を防止することができる。
【００１６】
また、補強部材を使用せず、切り起し、引掛爪等の複雑な構造も不要な為、材料コストや工数の削減により、安価に信頼性の高い空気調和機を提供することができる。
【００１７】
以上のように、本実施の形態においてはモ−タおよびファンを具備したモ−タ取付台の上部取付板に熱交換器の上部を前後方向に挟み込む挟持部と、前板に固定される固定部とを設けたことによってモータ取付台は前後両側で固定されて合成が強くなり、製品の運送時のガタツキ等の原因でモ−タ取付台が傾くことがなくなり、モ−タ取付台の傾きによるファンと熱交換器の距離の不正規による本体運転時の振動、ビビリ音の発生を防止することができる。
【産業上の利用可能性】
【００１８】
以上のように、本発明にかかる空気調和機は、モ−タ取付台の傾きによるファンと熱交換器の距離の不正規による本体運転時の振動やビビリ音の発生の防止が可能となるので、多室形空気調和機等の用途にも適用できる。
【図面の簡単な説明】
【００１９】
【図１】本発明の実施の形態１における空気調和機の正面図
【図２】本発明の実施の形態１における空気調和機の横断面図
【図３】本発明の実施の形態１における空気調和機の横断面図の要部拡大図
【図４】従来の空気調和機の室外機の斜視図
【図５】従来の空気調和機の室外機の要部断面図
【符号の説明】
【００２０】
１  底板
２  モ−タ取付台
３  上部取付板
３ａ  挟持部
３ｂ  固定部
４  上部取付板固定ネジ
５  圧縮機
６  熱交換器
７  仕切板
８  外箱
９  天板
１０  前板
１１  モータ
１２  ファン
【図１】
2007017041.tif 000003
【図２】
2007017041.tif 000004
【図３】
2007017041.tif 000005
【図４】
2007017041.tif 000006
【図５】
2007017041.tif 000007